(57)【要約】【課題】802.1x認証に対応したハンドオーバー方法を得ること。【解決手段】複数の基地局（２−１，２−１…）とＣＷＣ装置（１）と端末局（３）とを備えた無線ＬＡＮシステムにおいて、802.1x認証後に基地局（２−１）が端末局（３）の状態を「Association＋認証完了」に更新した後のハンドオーバー方法であって、基地局（２−２）が端末局（３）の状態を「Pre-Association」に更新し、端末局（３）がハンドオーバーを実行する必要があると判定した場合にＨＯ通知をＨＯ先基地局（２−２）に対して送信し、ＨＯ先基地局（２−２）が端末局（３）の状態を「Association＋認証完了」に更新し、その後、ＨＯ先基地局（２−２）が下りユーザデータを受信した場合に、ＣＷＣ装置（１）が切り替え完了通知を送信し、ＨＯ元基地局（２−１）が端末局（３）の状態を「Pre-Association」に更新する。【選択図】        図１
2006304118.tif 000002
【特許請求の範囲】
【請求項１】
端末局の状態を管理する機能を有し同一周波数で設定される所定のエリアを構成する複数の基地局と、前記複数の基地局および端末を管理するＣＷＣ（C-plane  Wireless  Controller）装置と、端末局と、を備えた無線ＬＡＮシステムにおいて、所定の認証処理により特定の基地局が前記端末局の状態を「Association＋認証完了」に更新した後のハンドオーバー方法であって、
前記特定の基地局が、前記端末局に関する所定の情報（端末局情報）を前記ＣＷＣ装置に対して送信し、当該ＣＷＣ装置が、受信した端末局情報を隣接するハンドオーバー候補の複数の基地局（ＨＯ候補基地局）に対して転送し、端末局情報を受信した各ＨＯ候補基地局が、前記端末局の状態を接続前の状態を表す「Pre-Association」に更新する第１の工程と、
前記端末局が、ハンドオーバーを実行する必要があると判定した場合に、ハンドオーバー通知（ＨＯ通知）をハンドオーバー先と判断した基地局（ＨＯ先基地局）に対して送信する第２の工程と、
前記ＨＯ先基地局が、前記端末局の状態を「Association＋認証完了」に更新し、受信したＨＯ通知を前記ＣＷＣ装置に対して転送し、さらに、経路学習フレームをネットワーク装置に対して送信する第３の工程と、
その後、前記ＨＯ先基地局が、前記ネットワーク装置からの下りユーザデータの受信をトリガーにして、ハンドオーバー完了通知（ＨＯ完了通知）を前記ＣＷＣ装置に対して送信し、ＨＯ完了通知を受信したＣＷＣ装置が、切り替え完了通知を前記特定の基地局（ＨＯ元基地局）に対して送信し、切り替え完了通知を受信したＨＯ元基地局が、前記端末局の状態を「Pre-Association」に更新する第４の工程と、
を含むことを特徴とするハンドオーバー方法。
【請求項２】
前記端末局は、ＨＯ通知を送信してから、前記ネットワーク装置の経路学習が終了するまでの間、ＨＯ先基地局およびＨＯ元基地局の両方からの下りユーザデータを受信することを特徴とする請求項１に記載のハンドオーバー方法。
【請求項３】
端末局の状態を管理する機能を有し同一周波数で設定される所定のエリアを構成する複数の基地局と、前記複数の基地局および端末を管理するＣＷＣ（C-plane  Wireless  Controller）装置と、端末局と、を備えた無線ＬＡＮシステムにおいて、所定の認証処理により特定の基地局が前記端末局の状態を「Association＋認証完了」に更新した後のハンドオーバー方法であって、
前記特定の基地局が、前記端末局に関する所定の情報（端末局情報）を前記ＣＷＣ装置に対して送信し、当該ＣＷＣ装置が、受信した端末局情報を隣接するハンドオーバー候補の複数の基地局（ＨＯ候補基地局）に対して転送し、端末局情報を受信した各ＨＯ候補基地局が、前記端末局の状態を接続前の状態を表す「Pre-Association」に更新する第１の工程と、
前記特定の基地局およびＨＯ候補基地局が、前記端末局が送信するデータを用いてハンドオーバーに必要な受信状況を測定し、その受信状況を前記ＣＷＣ装置に対して送信する第２の工程と、
前記ＣＷＣ装置が、受信した受信状況に基づいてハンドオーバーを実行した方がよいと判断した場合に、ハンドオーバー先と判断した基地局（ＨＯ先基地局）に対して状態変更通知を送信し、当該ＨＯ先基地局が、前記端末局の状態を「Association＋認証完了」に更新する第３の工程と、
前記ＣＷＣ装置が、ＢＳＳＩＤ切り替え指示を前記特定の基地局（ＨＯ元基地局）に対して送信し、当該ＨＯ元基地局が、前記端末局の状態を「Pre-Association」に更新し、さらに、前記端末局に対してＢＳＳＩＤ切り替え指示を転送する第４の工程と、
前記端末局が、ＢＳＳＩＤを切り替える処理を実行し、さらに、経路学習フレームをＨＯ先基地局を介してネットワーク装置に対して送信する第５の工程と、
その後、前記ＨＯ先基地局が、前記ネットワーク装置からの下りユーザデータの受信をトリガーにして、ハンドオーバー完了通知（ＨＯ完了通知）を前記ＣＷＣ装置に対して送信し、ＨＯ完了通知を受信したＣＷＣ装置が、切り替え完了通知を前記特定の基地局（ＨＯ元基地局）に対して送信し、切り替え完了通知を受信したＨＯ元基地局が、前記端末局の状態を「Pre-Association」に更新する第６の工程と、
を含むことを特徴とするハンドオーバー方法。
【請求項４】
前記端末局は、前記ＨＯ元基地局からＢＳＳＩＤ切り替え指示を受信してから、前記ネットワーク装置の経路学習が終了するまでの間、ＨＯ先基地局およびＨＯ元基地局の両方からの下りユーザデータを受信することを特徴とする請求項３に記載のハンドオーバー方法。
【請求項５】
端末局の状態を管理する機能を有し同一周波数で設定される所定のエリアを構成する複数の基地局と、前記複数の基地局および端末を管理するＣＷＣ（C-plane  Wireless  Controller）装置と、端末局と、を備えた無線ＬＡＮシステムにおいて、所定の認証処理により特定の基地局が前記端末局の状態を「Association＋認証完了」に更新した後の、異なるセグメント間のハンドオーバー方法であって、
前記特定の基地局が、前記端末局に関する所定の情報（端末局情報）を前記ＣＷＣ装置に対して送信し、当該ＣＷＣ装置が、受信した端末局情報を隣接するハンドオーバー候補の複数の基地局（ＨＯ候補基地局）に対して転送し、端末局情報を受信した各ＨＯ候補基地局が、前記端末局の状態を接続前の状態を表す「Pre-Association」に更新する第１の工程と、
前記端末局が、ハンドオーバーを実行する必要があると判定した場合に、ハンドオーバー通知（ＨＯ通知）をハンドオーバー先と判断した基地局（ＨＯ先基地局）に対して送信する第２の工程と、
前記ＨＯ先基地局が、受信したＨＯ通知からサブネット間のハンドオーバーに必要な情報（ハンドオーバー情報）を抽出し、当該ハンドオーバー情報を前記ＣＷＣ装置に対して送信する第３の工程と、
前記ＣＷＣ装置が、受信したハンドオーバー情報に基づいてサブネット間のハンドオーバーであると判定した場合に、前記特定の基地局（ＨＯ元基地局）およびＨＯ先基地局に対してＩＰトンネル生成指示を送信する第４の工程と、
前記ＨＯ元基地局およびＨＯ先基地局が、それぞれＩＰトンネルを生成する第５の工程と、
を含み、
以降、生成したＩＰトンネル経由でデータ転送を実行することを特徴とするハンドオーバー方法。
【請求項６】
端末局の状態を管理する機能を有し同一周波数で設定される所定のエリアを構成する複数の基地局と、前記複数の基地局および端末を管理するＣＷＣ（C-plane  Wireless  Controller）装置と、端末局と、を備えた無線ＬＡＮシステムにおける、異なるセグメント間のハンドオーバー方法であって、
前記端末局が、ハンドオーバーを実行する必要があると判定した場合に、「Authentication」フレームをハンドオーバー先と判断した基地局（ＨＯ先基地局）に対して送信する第１の工程と、
前記ＨＯ先基地局が、「Authentication」フレームを返信せずに受入照会を生成し、当該受入照会を前記ＣＷＣ装置に対して送信する第２の工程と、
前記ＣＷＣ装置が、受入照会時にサブネット間のハンドオーバーに必要な情報（ハンドオーバー情報）を入手し、当該ハンドオーバー情報に基づいてサブネット間のハンドオーバーであると判定した場合に、ハンドオーバー元の基地局（ＨＯ元基地局）およびＨＯ先基地局に対してＩＰトンネル生成指示を送信する第３の工程と、
前記ＨＯ元基地局およびＨＯ先基地局が、それぞれＩＰトンネルを生成する第４の工程と、
その後、前記ＣＷＣ装置が、受入応答を前記ＨＯ先基地局に対して送信し、認証処理を再開させる（「Authentication」フレーム返信）第５の工程と、
を含み、
以降、EAP／認証、DHCPサーバーへの問い合わせ、ユーザデータの通信を、生成したＩＰトンネル経由で実行することを特徴とするハンドオーバー方法。
【請求項７】
端末局の状態を管理する機能を有し同一周波数で設定される所定のエリアを構成する複数の基地局とともに無線ＬＡＮシステムを構成し、前記各基地局および端末を管理するＣＷＣ（C-plane  Wireless  Controller）装置であって、
前記基地局が保持する端末局の状態を遷移させる状態管理指示手段と、
前記基地局および端末局に関する所定の情報を記憶する記憶手段と、
を備え、
前記状態管理指示手段は、
端末の認証時に基地局から送られてくる当該端末局に関する所定の情報（端末局情報）を隣接するハンドオーバー候補の複数の基地局（ＨＯ候補基地局）に対して転送することによって、ＨＯ候補基地局が保持する端末局の状態を接続前の状態を表す「Pre-Association」に遷移させ、
また、ハンドオーバー先の基地局（ＨＯ先基地局）からＨＯ完了通知を受信した場合に、切り替え完了通知をハンドオーバー元の基地局（ＨＯ元基地局）に対して送信し、ＨＯ元基地局が保持する端末局の状態を「Association＋認証完了」から「Pre-Association」に遷移させることを特徴とするＣＷＣ装置。
【請求項８】
さらに、前記ＨＯ元基地局およびＨＯ候補基地局から送られてくる「端末がＨＯ元基地局に対して送信するデータの受信状況」に基づいて、ハンドオーバーを実行するかどうかを判定するハンドオーバー判定手段、
を備え、
前記状態管理指示手段は、
前記ハンドオーバー判定手段がハンドオーバーを実行した方がよいと判断した場合に、ハンドオーバー先と判断した基地局（ＨＯ先基地局）に対して状態変更通知を送信することによって、ＨＯ先基地局が保持する端末局の状態を「Pre-Association」から「Association＋認証完了」に遷移させ、
また、前記ハンドオーバー判定手段がハンドオーバーを実行した方がよいと判断した場合に、ＨＯ元基地局に対してＢＳＳＩＤ切り替え指示を送信することによって、ＨＯ元基地局が保持する端末局の状態を「Association＋認証完了」から「Pre-Association」に遷移させることを特徴とする請求項７に記載のＣＷＣ装置。
【請求項９】
さらに、前記ＨＯ先基地局から送られてくるハンドオーバーに必要な情報（ハンドオーバー情報）に基づいて、サブネット間のハンドオーバーを実行するかどうかを判定するＬ３ハンドオーバー判定手段と、
前記Ｌ３ハンドオーバー判定手段がサブネット間のハンドオーバーを実行する必要があると判定した場合に、前記ＨＯ元基地局およびＨＯ先基地局に対してＩＰトンネルの生成を指示するＩＰトンネル指示手段と、
を備えることを特徴とする請求項７に記載のＣＷＣ装置。
【請求項１０】
端末局の状態を管理する機能を有し同一周波数で設定される所定のエリアを構成する複数の基地局とともに無線ＬＡＮシステムを構成し、前記各基地局および端末を管理するＣＷＣ（C-plane  Wireless  Controller）装置であって、
前記端末局が、ハンドオーバーを実行する必要があると判定した場合に「Authentication」フレームをハンドオーバー先と判断した基地局（ＨＯ先基地局）に対して送信し、当該ＨＯ先基地局が、「Authentication」フレームを返信せずに受入照会を自装置に対して送信した状況において、前記受入照会により得られるハンドオーバーに必要な情報（ハンドオーバー情報）に基づいて、サブネット間のハンドオーバーを実行するかどうかを判定するＬ３ハンドオーバー判定手段と、
前記Ｌ３ハンドオーバー判定手段がサブネット間のハンドオーバーを実行する必要があると判定した場合に、前記ＨＯ元基地局およびＨＯ先基地局に対してＩＰトンネルの生成を指示するＩＰトンネル指示手段と、
前記ＩＰトンネル生成後、受入応答を前記ＨＯ先基地局に対して送信し、認証処理を再開させる（「Authentication」フレーム返信）認証再開指示手段と、
を備えることを特徴とするＣＷＣ装置。
【請求項１１】
基地局および端末を管理するＣＷＣ（C-plane  Wireless  Controller）装置とともに無線ＬＡＮシステムを構成する基地局において、
端末局の状態を管理する状態管理手段と、
端末局に関する所定の情報（端末局情報）を記憶する記憶手段と、
を備え、
前記状態管理手段は、
所定の認証処理により該当する端末局の状態を「Association＋認証完了」に更新し、
また、前記ＣＷＣ装置から送られてくる端末局情報を受信した場合に、該当する端末局の状態を接続前の状態を表す「Pre-Association」に更新し、
また、端末局から送られてくるハンドオーバー通知（ＨＯ通知）を受信した場合に、該当する端末局の状態を「Association＋認証完了」に更新し、
また、前記ＣＷＣ装置から送られてくる切り替え完了通知を受信した場合に、該当する端末局の状態を「Pre-Association」に更新することを特徴とする基地局。
【請求項１２】
さらに、前記ＨＯ通知を受信した場合に、上位ネットワーク装置に対してデータ経路を更新させるための経路学習フレームを送信するための制御を行う経路学習手段、
を備え、
前記状態管理手段は、
上記ネットワーク装置からの下りユーザデータの受信をトリガーにして、データ経路更新の完了を認識し、その後、ハンドオーバー完了通知（ＨＯ完了通知）を前記ＣＷＣ装置に対して送信するための制御を行うことを特徴とする請求項１１に記載の基地局。
【請求項１３】
基地局および端末を管理するＣＷＣ（C-plane  Wireless  Controller）装置とともに無線ＬＡＮシステムを構成する基地局において、
端末局の状態を管理する状態管理手段と、
端末局に関する所定の情報（端末局情報）を記憶する記憶手段と、
端末局が送信するデータを用いてハンドオーバーに必要な受信状況を測定し、その受信状況を前記ＣＷＣ装置に対して送信する測定手段と、
を備え、
前記状態管理手段は、
所定の認証処理により該当する端末局の状態を「Association＋認証完了」に更新し、
また、前記ＣＷＣ装置から送られてくる端末局情報を受信した場合に、該当する端末局の状態を接続前の状態を表す「Pre-Association」に更新し、
また、前記ＣＷＣ装置から送られてくる状態変更通知を受信した場合に、該当する端末局の状態を「Association＋認証完了」に更新し、
また、前記受信状況に基づいて前記ＣＷＣ装置がハンドオーバーを行う必要があると判断してＢＳＳＩＤ切り替え指示を送信し、当該指示を受信した場合に、該当する端末局の状態を「Pre-Association」に更新し、
また、前記ＣＷＣ装置から送られてくる切り替え完了通知を受信した場合に、該当する端末局の状態を「Pre-Association」に更新することを特徴とする基地局。
【請求項１４】
さらに、前記状態管理手段は、
上記ネットワーク装置からの下りユーザデータの受信をトリガーにして、データ経路更新の完了を認識し、その後、ハンドオーバー完了通知（ＨＯ完了通知）を前記ＣＷＣ装置に対して送信するための制御を行うことを特徴とする請求項１３に記載の基地局。
【請求項１５】
さらに、サブネット間のハンドオーバーを実行する場合に、前記ＣＷＣ装置から送られてくるＩＰトンネル生成指示に従って、ハンドオーバー先のサブネットとハンドオーバー元のサブネットを接続するＩＰトンネルを設定するＩＰトンネル設定手段、
を備え、
ＩＰトンネル設定後は、当該ＩＰトンネル経由でデータ転送が行われることを特徴とする請求項１１または１２に記載の基地局。
【請求項１６】
基地局および端末を管理するＣＷＣ（C-plane  Wireless  Controller）装置とともに無線ＬＡＮシステムを構成する基地局において、
端末局がハンドオーバーを実行する必要があると判定した後に、当該端末局から「Authentication」フレームを受信した場合に、「Authentication」フレームを返信せずに受入照会を生成し、当該受入照会をＣＷＣ装置に対して送信するメッセージ生成解析手段と、
前記受入照会においてサブネット間のハンドオーバーを実行する必要があると判定した場合に、前記ＣＷＣ装置から送られてくるＩＰトンネル生成指示に従って、ハンドオーバー先のサブネットとハンドオーバー元のサブネットを接続するＩＰトンネルを設定するＩＰトンネル設定手段と、
を備え、
前記メッセージ生成解析手段は、前記ＩＰトンネル設定手段にてＩＰトンネルを設定後、前記ＣＷＣ装置から受入応答を受信した場合に、前記返信していなかった「Authentication」フレームを前記端末局に対して返信することを特徴とする基地局。
【請求項１７】
同一周波数で設定される所定のエリアを構成する複数の基地局と、前記複数の基地局および端末を管理するＣＷＣ（C-plane  Wireless  Controller）装置と、ともに無線ＬＡＮシステムを構成する端末局において、
ハンドオーバーを実行する必要があると判定した場合に、独自フレームであるハンドオーバー通知（ＨＯ通知）をハンドオーバー先と判断した基地局（ＨＯ先基地局）に対して送信するハンドオーバー判定手段、
を備えることを特徴とする端末局。
【請求項１８】
ＨＯ通知を送信してから、前記ネットワーク装置の経路学習が終了するまでの間、ＨＯ先基地局およびハンドオーバー元の基地局（ＨＯ元基地局）の両方からの下りユーザデータを受信することを特徴とする請求項１７に記載の端末局。
【請求項１９】
同一周波数で設定される所定のエリアを構成する複数の基地局と、前記複数の基地局および端末を管理するＣＷＣ（C-plane  Wireless  Controller）装置と、ともに無線ＬＡＮシステムを構成する端末局において、
前記ＣＷＣ装置がハンドオーバーを実行する必要があると判定し、ハンドオーバー元の基地局（ＨＯ元基地局）から転送されてくるＢＳＳＩＤ切り替え指示（独自フレーム）を受信した場合に、当該ＢＳＳＩＤ切り替え指示に基づいてＢＳＳＩＤをハンドオーバー元からハンドオーバー先に切り替える処理を実行するＢＳＳＩＤ切り替え手段、
を備えることを特徴とする端末局。
【請求項２０】
前記ＨＯ元基地局からＢＳＳＩＤ切り替え指示を受信してから、ネットワーク装置の経路学習が終了するまでの間、ハンドオーバー先の基地局およびＨＯ元基地局の両方からの下りユーザデータを受信することを特徴とする請求項１９に記載の端末局。
【発明の詳細な説明】
【技術分野】
【０００１】
本発明は、無線ＬＡＮシステムにおいて採用可能なハンドオーバー方法に関するものであり、特に、無線ＬＡＮシステムにおける802.1x認証を実行する場合のハンドオーバー方法に関するものである。
【背景技術】
【０００２】
従来、複数の基地局（ＡＰ）で構成された無線ＬＡＮシステム（IEEE802.11）として、たとえば、オフィスなどのように、ユーザが移動する環境で用いられる無線ＬＡＮシステムにおいては、ユーザの移動に伴って端末がハンドオーバーを実行し、基地局を切り替えながら通信品質を保持することが重要になる。
【０００３】
たとえば、無線ＬＡＮシステムにおけるハンドオーバーとしては、下記特許文献１に記載の“無線ＬＡＮシステム及びステーション並びにネットワーク切り替え方法”が開示されており、ここでは、基地局が自局のネットワーク情報をBeaconにより付与することによって、ネットワーク切り替えを行う方法が開示されている。
【０００４】
【特許文献１】特開２００４−２２９２２５号公報
【発明の開示】
【発明が解決しようとする課題】
【０００５】
しかしながら、上記特許文献１に記載の従来技術においては、802.11に規定された認証抜きのセキュリティだけを主眼においており、IEEE802.11iやWPAなどの認証を含めたセキュリティである802.1x認証に関する記載がなく、そのまま使用すると再接続を実施するため、瞬断時間が長くなる、という問題があった。
【０００６】
また、上記特許文献１に記載の従来技術においては、サブネットにまたがるハンドオーバーについての記載がない、という問題があった。
【０００７】
本発明は、上記に鑑みてなされたものであって、IEEE802.11iやWPAなどのセキュリティを行うための802.1x認証を実行する場合のハンドオーバー方法を得ることを目的とする。
【０００８】
また、本発明は、上記802.1x認証を実行後に、サブネットにまたがるハンドオーバーを実行する場合のハンドオーバー方法を得ることを目的とする。
【課題を解決するための手段】
【０００９】
上述した課題を解決し、目的を達成するために、本発明にかかるハンドオーバー方法は、端末局の状態を管理する機能を有し同一周波数で設定される所定のエリアを構成する複数の基地局と、前記複数の基地局および端末を管理するＣＷＣ（C-plane  Wireless  Controller）装置と、端末局と、を備えた無線ＬＡＮシステムにおいて、所定の認証処理により特定の基地局が前記端末局の状態を「Association＋認証完了」に更新した後のハンドオーバー方法であって、前記特定の基地局が、前記端末局に関する所定の情報（端末局情報）を前記ＣＷＣ装置に対して送信し、当該ＣＷＣ装置が、受信した端末局情報を隣接するハンドオーバー候補の複数の基地局（ＨＯ候補基地局）に対して転送し、端末局情報を受信した各ＨＯ候補基地局が、前記端末局の状態を接続前の状態を表す「Pre-Association」に更新する第１の工程と、前記端末局が、ハンドオーバーを実行する必要があると判定した場合に、ハンドオーバー通知（ＨＯ通知）をハンドオーバー先と判断した基地局（ＨＯ先基地局）に対して送信する第２の工程と、前記ＨＯ先基地局が、前記端末局の状態を「Association＋認証完了」に更新し、受信したＨＯ通知を前記ＣＷＣ装置に対して転送し、さらに、経路学習フレームをネットワーク装置に対して送信する第３の工程と、その後、前記ＨＯ先基地局が、前記ネットワーク装置からの下りユーザデータの受信をトリガーにして、ハンドオーバー完了通知（ＨＯ完了通知）を前記ＣＷＣ装置に対して送信し、ＨＯ完了通知を受信したＣＷＣ装置が、切り替え完了通知を前記特定の基地局（ＨＯ元基地局）に対して送信し、切り替え完了通知を受信したＨＯ元基地局が、前記端末局の状態を「Pre-Association」に更新する第４の工程と、を特徴とする。
【発明の効果】
【００１０】
この発明によれば、802.1x認証を行う場合のハンドオーバー方法を規定し、さらに、ＣＷＣが、配下のＡＰおよび当該各ＡＰに属するＳＴＡを集中管理することとした。これにより、ＡＰ間のセキュリティ情報の引継ぎを効率化することができ、再接続にかかる時間を大幅に短縮することができる。すなわち、本発明によれば、瞬断時間の極めて短いハンドオーバーを実現することが可能になる、という効果を奏する。
【発明を実施するための最良の形態】
【００１１】
以下に、本発明にかかるハンドオーバー方法の実施の形態を図面に基づいて詳細に説明する。なお、この実施の形態によりこの発明が限定されるものではない。
【００１２】
実施の形態１．
図１は、本発明にかかるハンドオーバー方法を実現する無線ＬＡＮシステムの構成例を示す図である。この無線ＬＡＮシステムは、IEEE802.11に準拠したシステムであり、たとえば、複数の基地局を管理するＣＷＣ（C-plane  Wireless  Controller）１と、それぞれ異なるＢＳＳＩＤ（Ａ，Ｂ，…）を持ち、同一周波数ｆ０で設定される仮想的なＡＰエリア（Virtual-AP）を構成する複数の基地局（ＡＰ）２−１，２−２，…と、ＡＰエリアに存在する端末局（ＳＴＡ）３と、を備えている。
【００１３】
ここで、上記無線ＬＡＮシステムを構成するＣＷＣ１，各ＡＰ，ＳＴＡ３の構成および動作を個別に説明する。
【００１４】
図２は、上記ＣＷＣ１の構成例を示す図であり、特に、配下のＡＰ（２−１，２−２，…）から送られてくる各種メッセージを解析し、また、配下のＡＰに対する各種メッセージを生成するメッセージ生成／解析部１１と、各ＡＰおよびそれらのＡＰに属するＳＴＡ３に関する情報を記憶する記憶部１２と、ＳＴＡの状態（ＳＴＡ状態）を接続前状態（以後、「Pre-Association」と呼ぶ）に遷移するように指示する状態管理指示部１３と、を備えている。
【００１５】
図２において、メッセージ生成／解析部１１は、ＡＰから送られてくるハンドオーバー通知（ＨＯ通知）やＳＴＡ情報やハンドオーバー完了（ＨＯ完了）などのメッセージを解析し、その解析結果を状態管理指示部１３に対して通知する。そして、状態管理指示部１３からの指示にしたがってメッセージを生成する。また、記憶部１２は、各ＡＰやそれらのＡＰに属するＳＴＡのＳＴＡ状態やＳＴＡ情報を記憶する。状態管理指示部１３は、各ＡＰから受信した情報に基づいてＳＴＡ状態を遷移させる。なお、状態管理指示部１３が管理する状態としては、IEEE802.11で規定された状態遷移（Idle，Authentication，Association）に加えて、ハンドオーバーによる接続前の状態である「Pre-Association」を管理する。
【００１６】
図３は、上記ＡＰ（２−１，２−２）の構成例を示す図であり、特に、配下のＳＴＡやＣＷＣ１から送られてくる各種メッセージを解析し、また、上記ＳＴＡやＣＷＣ１に対する各種メッセージを生成するメッセージ生成／解析部２１と、ＳＴＡ情報に基づいてＳＴＡの状態を管理する状態管理部２２と、ハンドオーバー時にネットワーク装置に対して経路情報を更新させるための経路学習フレームを送信する経路学習機能部２３と、ＳＴＡ情報やＳＴＡ状態を記憶する記憶部２４と、を備えている。
【００１７】
図３において、メッセージ生成／解析部２１は、無線ＬＡＮのチャネルを使用してＳＴＡから送られてくるＳＴＡ情報（Key情報，MACAddressなどを含む）およびＨＯ通知を解析し、その結果を状態管理部２２および記憶部２４に通知する。また、有線ネットワークを使用してＣＷＣ１から送られてくるＳＴＡ情報（Key情報，MACAddressなどを含む），切り替え完了通知等を解析し、その結果を状態管理部２２および記憶部２４に通知する。また、ＳＴＡから受信したＳＴＡ情報，ＨＯ通知や、ハンドオーバー完了時に状態管理部２２の指示により生成するＨＯ完了等を、有線ネットワークを使用してＣＷＣ１に対して送信する。また、ＳＴＡおよびネットワーク側から受信したユーザデータをそれぞれの宛先に対して転送する。なお、メッセージ生成／解析部２１は、無線ＬＡＮにおける通常のIEEE802.11フレーム（ＳＴＡからのＳＴＡ情報，ユーザデータ等）を受信するだけでなく、独自フレーム（ＨＯ通知等）も受信する。独自フレームは、たとえば、IEEE802.11フレームのフォーマットを使用し、ヘッダ部分の空きビットを使用して区別することとしてもよい。
【００１８】
また、状態管理部２２は、メッセージ生成／解析部２１から通知されるＳＴＡ情報、ＨＯ通知および切り替え完了通知等に基づいて、在圏するＳＴＡ３および近隣に存在する各ＳＴＡのＳＴＡ状態を更新する。また、経路学習機能部２３は、たとえば、ＳＴＡ３がハンドオーバーを実行した場合に、上位ネットワーク装置に対してデータ経路を更新させるための経路学習フレーム（経路情報更新）を送信する。
【００１９】
図４は、上記ＳＴＡ３の構成例を示す図であり、特に、ハンドオーバーを実行するかどうかを判定するハンドオーバー（ＨＯ）判定部３１と、ＡＰから送られてくる各種メッセージを解析し、また、ＡＰに対する各種メッセージを生成するメッセージ生成部／解析部３２と、自局の状態を管理する状態管理部３４と、各種情報を記憶する記憶部３３と、通常のIEEE802.11フレームの送受信以外に、独自フレームを送信する機能を有する無線送受信部３５と、を備えている。
【００２０】
図４において、ハンドオーバー判定部３１は、フレームの受信状態（受信電力等）を監視し、その結果に基づいてハンドオーバーを実行するかどうかを判定する。メッセージ生成部／解析部３２は、ＳＴＡ状態の生成処理およびユーザデータの生成／解析処理以外に、ハンドオーバー実行を決定した場合にハンドオーバー先ＡＰ宛の独自フレーム（ＨＯ通知)を生成する機能を持つ。また、状態管理部３４および記憶部３３は、自局の状態を管理および記憶する。また、無線送受信部３５は、自局宛てのＭＡＣアドレスと現在のＢＳＳＩＤをチェックし、ハンドオーバー先ＡＰまたはハンドオーバー元ＡＰからの複数のユーザデータを受信する。
【００２１】
つづいて、上記のように構成される無線ＬＡＮシステムの動作を図面に従って説明する。図５は、本実施の形態の無線ＬＡＮシステムを構成する各装置の動作、すなわち、本発明にかかるハンドオーバー方法のシーケンスを示す図である。
【００２２】
図５において、たとえば、ＳＴＡ３がＡＰ２−１のサービス提供エリア内で電源を投入した場合、ＳＴＡ３とＡＰ２−１との間では認証処理（802.1x認証）が実行される（ステップＳ１）。このとき、ＳＴＡ３は、ＡＰ２−１に対して無線ＬＡＮのチャネルを使用して自身のＳＴＡ情報（Key情報，MACAddressなどを含む)を送信し、ＡＰ２−１では、受信したＳＴＡ情報を記憶し、さらに、当該ＳＴＡ情報に基づいてＳＴＡ３のＳＴＡ状態を「Association＋認証完了」に更新する（ステップＳ２）。また、ＡＰ２−１では、ＣＷＣ１に対して、有線ネットワークを使用してＳＴＡ３のＳＴＡ情報を転送する（ステップＳ３）。
【００２３】
そして、ＣＷＣ１では、受信したＳＴＡ情報を記憶し、さらに、隣接するハンドオーバー候補の複数ＡＰ（２−２等）に対して、有線ネットワークを使用してＳＴＡ３のＳＴＡ情報を転送する（ステップＳ４）。このとき、ＳＴＡ情報を受信したハンドオーバー候補の各ＡＰは、受信したＳＴＡ情報を記憶し、さらに、当該ＳＴＡ情報に基づいてＳＴＡ３のＳＴＡ状態を「Pre-Association」に更新する（ステップＳ５）。この状態で、ＳＴＡ３とＡＰ２−１との間の通信が実行可能となる。
【００２４】
その後、たとえば、ＳＴＡ３による受信状態監視（受信電力比較など）によって、ＳＴＡ３がハンドオーバーを実行した方がよいと判定した場合（ステップＳ６）、ＳＴＡ３では、独自フレーム（ＨＯ通知）を生成し、たとえば、ハンドオーバー先と判断したＡＰ２−２に対して、無線ＬＡＮのチャネルを使用してＨＯ通知を送信する（ステップＳ７）。そして、ＨＯ通知を受信したＡＰ２−２では、ＳＴＡ３のＳＴＡ状態を「Association+認証完了」に更新し（ステップＳ８）、受信したＨＯ通知を、ＣＷＣ１に対して有線ネットワークを使用して転送する（ステップＳ９）。さらに、ＡＰ２−２では、経路学習フレームを生成し、その経路学習フレームをネットワーク装置に対して送信する（ステップＳ１０）。
【００２５】
その後、ＡＰ２−２は、ネットワーク装置からの下りユーザデータの受信をトリガーにして、経路情報更新の完了、すなわち、ハンドオーバーの完了を認識し（ステップＳ１１）、ＨＯ完了通知を生成し、そのＨＯ完了通知を、ＣＷＣ１に対して有線ネットワークを使用して送信する（ステップＳ１２）。そして、ＨＯ完了通知を受信したＣＷＣ１は、切り替え完了通知を生成し、その切り替え完了通知を、ハンドオーバー元のＡＰ２−１に対して有線ネットワークを使用して送信し（ステップＳ１３）、切り替え完了通知を受信したＡＰ２−１は、ＳＴＡ３のＳＴＡ状態を「Pre-Association」に更新する（ステップＳ１４）。
【００２６】
なお、図５において、ＳＴＡ３が独自フレーム（ＨＯ通知）を送信してから、ネットワーク装置の経路学習が終了するまでの間は、ＡＰ２−１を中継するＳＴＡ３宛の下りユーザデータが、ＢＳＳＩＤが異なるために廃棄される（ステップＳ１５）。
【００２７】
このように、本実施の形態においては、802.1x認証を行う場合のハンドオーバー方法を規定し、さらに、ＣＷＣが、配下のＡＰおよび当該各ＡＰに属するＳＴＡを集中管理することとした。これにより、ＡＰ間のセキュリティ情報の引継ぎを効率化することができ、再接続にかかる時間を大幅に短縮することができる。すなわち、本実施の形態によれば、瞬断時間の極めて短いハンドオーバーを実現することが可能になる。
【００２８】
なお、本実施の形態においては、図５に示すように、ＳＴＡ３が独自フレーム（ＨＯ通知）を送信してから、ネットワーク装置の経路学習が終了するまでの間は、ＡＰ２−１を中継するＳＴＡ３宛の下りユーザデータが廃棄されることとしているが、これに限らず、当該下りユーザデータを受信可能な構成としてもよい。たとえば、上記下りユーザデータを受信する場合は、上記無線送受信部３５において現在のＢＳＳＩＤをチェックし、その結果に基づいてハンドオーバー先ＡＰおよびハンドオーバー元ＡＰの両方からのユーザデータを受信する。すなわち、ＳＴＡ３が独自フレーム（ＨＯ通知）を送信してから、ネットワーク装置の経路学習が終了するまでの間であっても、ハンドオーバー先ＡＰやハンドオーバー元ＡＰのＢＳＳＩＤの場合には、そのユーザデータを受信可能な構成とする。
【００２９】
また、上記とは異なる方法で、たとえば、上記無線送受信部３５において自局宛てのＭＡＣアドレスかどうかをチェックし、その結果に基づいてハンドオーバー先ＡＰおよびハンドオーバー元ＡＰの両方からのユーザデータを受信することとしてもよい。すなわち、ＳＴＡ３が独自フレーム（ＨＯ通知）を送信してから、ネットワーク装置の経路学習が終了するまでの間であっても、自局宛てのＭＡＣアドレスであればユーザデータを受信可能な構成とする。上記２つの方法により、廃棄されてしまうことになるデータを大幅に減らすことができる。
【００３０】
実施の形態２．
つづいて、実施の形態２の動作について説明する。前述した実施の形態１においては、セグメントをまたがないレイヤ２ハンドオーバーについて記載したが、本実施の形態においては、実施の形態１とは異なる方法でレイヤ２ハンドオーバーを実現する。なお、無線ＬＡＮシステムの構成については、前述した実施の形態１と同様である。
【００３１】
ここで、無線ＬＡＮシステムを構成するＣＷＣ１，各ＡＰ，ＳＴＡ３の構成および動作を個別に説明する。なお、前述した実施の形態１と同様の構成については、同一の符号を付してその説明を省略する。以下では、前述した実施の形態１と異なる処理について説明する。
【００３２】
図６は、実施の形態２のＣＷＣ１の構成例を示す図であり、前述した実施の形態１の構成に加えて、さらに、ハンドオーバー情報収集部１４と、ハンドオーバー判定部１５と、を備えている。図６において、メッセージ生成／解析部１１は、ＡＰから送られてくるＳＴＡ情報や受信状況通知やＨＯ完了通知などのメッセージを解析し、その解析結果を状態管理指示部１３およびハンドオーバー情報収集部１４に対して通知する。そして、状態管理指示部１３およびハンドオーバー情報収集部１４からの指示にしたがって所定のメッセージ（端末状態更新指示，ＢＳＳＩＤ書き替え指示，切替完了通知等）を生成する。また、ハンドオーバー情報収集部１４は、ハンドオーバー情報として、ハンドオーバーに必要な様々な受信状況（受信電力，送信レート等）を、ハンドオーバー元ＡＰおよびハンドオーバー先ＡＰの両方から収集する。また、ハンドオーバー判定部１５は、ハンドオーバー情報に基づいてハンドオーバーを実行するかどうかを判定する。また、記憶部１２は、記憶部１２は、ＡＰやＳＴＡに関する各種情報に加えて、さらに上記ハンドオーバー情報やハンドオーバーにかかわるその他の情報についても記憶する。
【００３３】
図７は、実施の形態２のＡＰの構成例を示す図であり、前述した実施の形態１の構成に加えて、さらに、測定部２５を備えている。図７において、メッセージ生成／解析部２１は、無線ＬＡＮのチャネルを使用してＳＴＡから送られてくるＳＴＡ情報（Key情報，MACAddressなどを含む），上りトラヒックを解析し、その結果を状態管理部２２、測定部２５および記憶部２４に通知する。また、有線ネットワークを使用してＣＷＣ１から送られてくるＳＴＡ状態更新指示，ＢＳＳＩＤ書き替え指示，切り替え完了通知等を解析し、その結果を状態管理部２２および記憶部２４に通知し、さらに、ＢＳＳＩＤ書き替え指示（独自フレーム）については無線ＬＡＮのチャネルを使用してＳＴＡに対して転送する。また、ＳＴＡから受信したＳＴＡ情報，上りトラヒックの受信状況，ハンドオーバー完了時に生成するＨＯ完了通知を、有線ネットワークを使用してＣＷＣ１に対して送信する。また、ユーザデータおよび経路学習フレームをそれぞれの宛先に対して転送する。
【００３４】
また、測定部２５は、ＳＴＡ状態が「Association」となっているＳＴＡの受信状況を監視するとともに、「Pre-Association」のＳＴＡの上りデータについても監視する。なお、「Pre-Association」となっているＳＴＡに対しては、IEEE802.11で規定されたＡＣＫを返さない。
【００３５】
図８は、実施の形態２のＳＴＡの構成例を示す図であり、前述した実施の形態１の構成に加えて、さらに、ＢＳＳＩＤ切り替え指示部３６を備え、一方で、ＨＯ判定部３１が削除されている。図８において、メッセージ生成部／解析部３２は、ＳＴＡ状態の生成処理およびユーザデータの生成／解析処理以外に、ＡＰからのＢＳＳＩＤ書き替え指示を解析する。また、独自フレームであるＢＳＳＩＤ書き替え指示および経路学習フレームを生成する。また、ＢＳＳＩＤ切り替え指示部３６は、ハンドオーバー元ＡＰからＢＳＳＩＤ切り替え指示を受信した場合にＢＳＳＩＤを切り替える。
【００３６】
つづいて、上記のように構成される無線ＬＡＮシステムの動作を図面に従って説明する。図９は、本実施の形態の無線ＬＡＮシステムを構成する各装置の動作、すなわち、本発明にかかるハンドオーバー方法のシーケンスを示す図である。
【００３７】
まず、前述した実施の形態１と同様に、ステップＳ１〜Ｓ５の処理を実行した後、ＡＰ２−１は、無線ＬＡＮのチャネルを使用してＳＴＡ３から送られてくるデータを受信し、ハンドオーバーに必要な様々な受信状況（受信電力，送信レート等）を測定する（ステップＳ２１）とともに、ＡＣＫを返信する（ステップＳ２２）。そして、その測定結果である受信状況をＣＷＣ１に対して送信する（ステップＳ２３）。
【００３８】
同時に、ハンドオーバー先の候補である各ＡＰ（図９では２−２）は、ＳＴＡ状態が「Pre-Association」となっているＳＴＡ３の上りデータを監視し（IEEE802.11のＡＣＫを返さない）、ハンドオーバーに必要な様々な受信状況（受信電力、送信レート）を測定する（ステップＳ２４）。そして、その測定結果である受信状況をＣＷＣ１に対して送信する（ステップＳ２５）。
【００３９】
ＣＷＣ１では、ＡＰ２−１およびハンドオーバー先の候補である各ＡＰからＳＴＡ３の受信状況を受信し、これらの受信状況に基づいてハンドオーバーを実行するかどうかを判定する（ステップＳ２６）。そして、たとえば、ＡＰ２−２に切り替えが必要であると判断した場合には、ハンドオーバー先ＡＰ２−２に対して有線ネットワークを使用してＳＴＡ状態変更通知を送信する（ステップＳ２７）。ＳＴＡ状態変更通知を受信したＡＰ２−２では、ＳＴＡ３のＳＴＡ状態を「Association＋認証完了」に変更する（ステップＳ２８）。
【００４０】
その後、ＣＷＣ１は、ＢＳＳＩＤ切り替え指示を、ハンドオーバー元ＡＰ２−１に対して有線ネットワークを使用して送信し（ステップＳ２９）、さらに、ＡＰ２−１が、ＳＴＡ３に対して無線ＬＡＮのチャネルを使用してＢＳＳＩＤ切り替え指示（独自フレーム）を転送し（ステップＳ３０）、ＳＴＡ３が、ＢＳＳＩＤを切り替える処理を実行する（ステップＳ３１）。また、ハンドオーバー元ＡＰ２−１では、ＢＳＳＩＤ切り替え指示を受信後、ＳＴＡ３のＳＴＡ状態を「Pre-Association」に変更する（ステップＳ３２）。
【００４１】
その後、ＡＰ２−２は、ネットワーク装置からの下りユーザデータの受信をトリガーにして、経路情報更新の完了、すなわち、ハンドオーバーの完了を認識し（ステップＳ１１）、ＨＯ完了通知を生成し、そのＨＯ完了通知を、ＣＷＣ１に対して有線ネットワークを使用して送信する（ステップＳ１２）。そして、ＨＯ完了通知を受信したＣＷＣ１は、切り替え完了通知を生成し、その切り替え完了通知を、ハンドオーバー元のＡＰ２−１に対して有線ネットワークを使用して送信し（ステップＳ１３）、切り替え完了通知を受信したＡＰ２−１は、ＳＴＡ３のＳＴＡ状態を「Pre-Association」に更新する（ステップＳ１４）。
【００４２】
なお、図９において、ＳＴＡ３がＡＰ２−１から独自フレーム（ＢＳＳＩＤ切り替え指示）を受信してから、ネットワーク装置の経路学習が終了するまでの間は、ＡＰ２−１を中継するＳＴＡ３宛の下りユーザデータが、ＢＳＳＩＤが異なるために廃棄される（ステップＳ１５）。
【００４３】
このように、本実施の形態においては、802.1x認証を行う場合のハンドオーバー方法を規定し、さらに、ＣＷＣが、配下のＡＰおよび当該各ＡＰに属するＳＴＡを集中管理することとし、ＣＷＣが、ハンドオーバーを実行するかどうかを判断することとした。これにより、ＡＰ間のセキュリティ情報の引継ぎを効率化することができ、再接続にかかる時間を大幅に短縮することができる。すなわち、本実施の形態によれば、瞬断時間の極めて短いハンドオーバーを実現することが可能になる。
【００４４】
なお、本実施の形態においては、図９に示すように、ＳＴＡ３がＡＰ２−１から独自フレーム（ＢＳＳＩＤ切り替え指示）を受信してから、ネットワーク装置の経路学習が終了するまでの間は、ＡＰ２−１を中継するＳＴＡ３宛の下りユーザデータが廃棄されることとしているが、これに限らず、当該下りユーザデータを受信可能な構成としてもよい。たとえば、上記下りユーザデータを受信する場合は、上記無線送受信部３５において現在のＢＳＳＩＤをチェックし、その結果に基づいてハンドオーバー先ＡＰおよびハンドオーバー元ＡＰの両方からのユーザデータを受信する。すなわち、ＳＴＡ３がＡＰ２−１から独自フレーム（ＢＳＳＩＤ切り替え指示）を受信してから、ネットワーク装置の経路学習が終了するまでの間であっても、ハンドオーバー先ＡＰやハンドオーバー元ＡＰのＢＳＳＩＤの場合には、そのユーザデータを受信可能な構成とする。
【００４５】
また、上記とは異なる方法で、たとえば、上記無線送受信部３５において自局宛てのＭＡＣアドレスかどうかをチェックし、その結果に基づいてハンドオーバー先ＡＰおよびハンドオーバー元ＡＰの両方からのユーザデータを受信することとしてもよい。すなわち、ＳＴＡ３がＡＰ２−１から独自フレーム（ＢＳＳＩＤ切り替え指示）を受信してから、ネットワーク装置の経路学習が終了するまでの間であっても、自局宛てのＭＡＣアドレスであればユーザデータを受信可能な構成とする。上記２つの方法により、廃棄されてしまうことになるデータを大幅に減らすことができる。
【００４６】
実施の形態３．
つづいて、実施の形態３の動作について説明する。本実施の形態においては、前述した実施の形態１に記載のセグメントをまたがらないハンドオーバーに加えて、さらに、セグメントをまたがるレイヤ３ハンドオーバーを実現する。なお、セグメントをまたがらないハンドオーバーを実行する場合の無線ＬＡＮシステムの構成については、前述した実施の形態１と同様である。
【００４７】
ここで、無線ＬＡＮシステムを構成するＣＷＣ１，各ＡＰ，ＳＴＡ３（実施の形態１の図４と同一構成）の構成および動作を個別に説明する。なお、前述した実施の形態１と同様の構成については、同一の符号を付してその説明を省略する。以下では、前述した実施の形態１と異なる処理について説明する。
【００４８】
図１０は、実施の形態３のＣＷＣ１の構成例を示す図であり、前述した実施の形態１の構成に加えて、さらに、ＩＰトンネル指示部１６と、Ｌ３ハンドオーバー判定部１７と、を備える。図１０において、メッセージ生成／解析部１１は、実施の形態１の処理に加えて、さらに、ＡＰから送られてくるＬ３ハンドオーバー情報を解析し、その解析結果をＬ３ハンドオーバー判定部１７に通知する。また、ＩＰトンネル指示部１６からの指示でＩＰトンネルを生成するためのメッセージ（ＩＰトンネル設定指示）を生成する。また、Ｌ３ハンドオーバー判定部１７は、Ｌ３ハンドオーバー情報からサブネットをまたがったハンドオーバーに必要な情報（たとえば、ハンドオーバー元のＡＰアドレス，ＳＴＡアドレス）を抽出し、その情報に基づいてハンドオーバーを実行するＳＴＡのサブネットが違っているかどうかを判定し、違っている場合に、サブネット間をまたがるハンドオーバーと判定する。また、ＩＰトンネル指示部１６は、ハンドオーバー元ＡＰとハンドオーバー先ＡＰに対してＩＰトンネルの設定を指示する。
【００４９】
図１１は、実施の形態３のＡＰ（２−１，２−２，２−３：２−３は他のセグメントのＡＰ）の構成例を示す図であり、前述した実施の形態１の構成に加えて、さらに、ＩＰトンネル設定部２６を備えている。図１１において、メッセージ生成／解析部２１は、実施の形態１の処理に加えて、さらに、有線ネットワークを使用してＣＷＣ１から送られてくるＩＰトンネル設定指示を解析し、その結果をＩＰトンネル設定部２６に通知する。また、ＩＰトンネル設定部２６は、ＩＰトンネル設定指示を受信した場合に該当する箇所にＩＰトンネルを設定する。
【００５０】
つづいて、上記のように構成される無線ＬＡＮシステムの動作を図面に従って説明する。図１２は、本実施の形態の無線ＬＡＮシステムを構成する各装置の動作、すなわち、本発明にかかるハンドオーバー方法のシーケンスを示す図である。
【００５１】
まず、前述した実施の形態１と同様に、ステップＳ１〜Ｓ５の処理を実行した後、受信状態監視（受信電力比較など）によって、ＳＴＡ３がハンドオーバーを実行した方がよいと判定した場合（ステップＳ４１）、ＳＴＡ３では、独自フレーム（ＨＯ通知）を生成し、たとえば、ハンドオーバー先と判断した他のセグメントのＡＰ２−３に対して、無線ＬＡＮのチャネルを使用してＨＯ通知を送信する（ステップＳ４２）。
【００５２】
そして、ＨＯ通知を受信したハンドオーバー先のＡＰ２−３では、受信したＨＯ通知からサブネットをまたがったハンドオーバーに必要な情報（Ｌ３ハンドオーバー情報：たとえば、ハンドオーバー元のＡＰアドレス，ＳＴＡアドレス）を抽出し、当該Ｌ３ハンドオーバー情報を、ＣＷＣ１に対して有線ネットワークを使用して送信する（ステップＳ４３）。
【００５３】
上記Ｌ３ハンドオーバー情報を受信したＣＷＣ１では、当該情報に基づいてハンドオーバーを実行するＳＴＡ３の元のサブネットが違っているかどうか、すなわち、サブネット間をまたがるハンドオーバーかどうかを判定し（ステップＳ４４）、サブネット間をまたがるハンドオーバーと判定した場合、ハンドオーバー元ＡＰ２−１とハンドオーバー先ＡＰ２−３に対してＩＰトンネル生成指示を送信する（ステップＳ４５）。そして、両方のＡＰがＩＰトンネルを生成する（ステップＳ４６）。以降、生成したＩＰトンネル経由でデータ転送を実行する。
【００５４】
このように、本実施の形態においては、セグメントをまたがるレイヤ３ハンドオーバーを実行する場合、ハンドオーバー元ＡＰとハンドオーバー先ＡＰがそれぞれＩＰトンネルを生成し、ＩＰトンネル経由でデータ転送を行うこととした。これにより、Ｌ３におけるIPv４のアドレスの付け替えが行われないので、瞬断を短くすることが可能となる。また、MobileIPを使用するのではなく、IPv4を使用することができるため、現在の装置のＬ３のプロトコルを変えることなく対応することができる。
【００５５】
実施の形態４．
つづいて、実施の形態４の動作について説明する。本実施の形態においては、前述した実施の形態３とは異なる方法でセグメントをまたがるレイヤ３ハンドオーバーを実現する。この際、本実施の形態においては、ハンドオーバーを実行するＳＴＡとして、独自フレームを用いない一般的なＳＴＡを用いる。
【００５６】
ここで、無線ＬＡＮシステムを構成するＣＷＣ１，各ＡＰ，ＳＴＡ３（従来から使用されている一般的なＳＴＡ）の構成および動作を個別に説明する。なお、前述した実施の形態１と同様の構成については、同一の符号を付してその説明を省略する。以下では、前述した実施の形態１〜３と異なる処理について説明する。
【００５７】
図１３は、実施の形態４のＣＷＣ１の構成例を示す図であり、前述した実施の形態１の構成に加えて、さらに、ＩＰトンネル指示部１６と、Ｌ３ハンドオーバー判定部１７と、を備え、状態管理指示１３が認証再開指示機能を有する。図１０において、メッセージ生成／解析部１１は、ＡＰから送られてくる受入照会を解析し、その解析結果をＬ３ハンドオーバー判定部１７に通知する。また、ＩＰトンネル指示部１６からの指示でＩＰトンネルを生成するためのメッセージ（ＩＰトンネル設定指示）および受入応答を生成する。また、Ｌ３ハンドオーバー判定部１７は、受入照会時に、各ＡＰのサブネット情報，ＡＰアドレス，ＳＴＡアドレスなどのハンドオーバーに必要な情報（Ｌ３ハンドオーバー情報）を入手し、サブネットをまたがるハンドオーバーかどうかを判定する。また、ＩＰトンネル指示部１６は、ハンドオーバー元ＡＰとハンドオーバー先ＡＰに対してＩＰトンネルの設定を指示する。また、状態管理指示部１３は、ＩＰトンネル設定後に、受入応答でハンドオーバー先ＡＰに対して認証処理の再開を指示する機能を備える。
【００５８】
また、各ＡＰ（２−１，２−２，２−３）は、前述した実施の形態４の図１１と同様に構成され、本実施の形態のメッセージ生成／解析部２１は、「Authentication」フレームをＳＴＡから受信した場合に「Authentication」フレームを返信せずに、受入照会を生成し、当該受入照会をＣＷＣ宛てに送信し、また、ＣＷＣから受入応答を受信した場合に、返信していなかった「Authentication」フレームをＳＴＡ宛てに送信する。また、ＩＰトンネル設定部２６は、ＩＰトンネル設定指示を受信した場合に該当する箇所にＩＰトンネルを設定する。
【００５９】
つづいて、上記のように構成される無線ＬＡＮシステムの動作を図面に従って説明する。図１４は、本実施の形態の無線ＬＡＮシステムを構成する各装置の動作、すなわち、本発明にかかるハンドオーバー方法のシーケンスを示す図である。
【００６０】
まず、ＳＴＡ３は、ハンドオーバーを実行した方がよいと判定した場合（ステップＳ５１）、「Authentication」フレームを生成し、たとえば、ハンドオーバー先と判断した他のセグメントのＡＰ２−３に対して、無線ＬＡＮのチャネルを使用して「Authentication」フレームを送信する（ステップＳ５２）。
【００６１】
そして、「Authentication」フレームを受信したハンドオーバー先のＡＰ２−３では、「Authentication」フレームをすぐには返信せずに受入照会を生成し、当該受入照会を、ＣＷＣ１に対して有線ネットワークを使用して送信する（ステップＳ５３）。
【００６２】
上記受入照会を受信したＣＷＣ１では、受入照会時に上記Ｌ３ハンドオーバー情報を入手し、当該情報に基づいてサブネット間をまたがるハンドオーバーかどうかを判定し（ステップＳ５４）、サブネット間をまたがるハンドオーバーと判定した場合、ハンドオーバー元ＡＰ２−１とハンドオーバー先ＡＰ２−３に対してＩＰトンネル生成指示を送信する（ステップＳ５５）。そして、両方のＡＰがＩＰトンネルを生成する（ステップＳ５６）。さらに、ＣＷＣ１では、上記ＩＰトンネル生成指示を送信後に、受入応答を、有線ネットワークを使用してハンドオーバー先ＡＰ２−３に対して送信し、「Association＋認証」処理を再開させる（ステップＳ５７）。
【００６３】
以降、EAP／認証，DHCPサーバーへの問い合わせ，ユーザデータの通信は、ハンドオーバー先ＡＰ２−３とハンドオーバー元ＡＰ２−１との間に生成したＩＰトンネル経由で行う。
【００６４】
このように、本実施の形態においては、独自フレームを用いない一般的なＳＴＡがセグメントをまたがるレイヤ３ハンドオーバーを実行する場合に、ハンドオーバー元ＡＰとハンドオーバー先ＡＰがそれぞれＩＰトンネルを生成し、ＩＰトンネル経由でデータ転送を行うこととした。これにより、Ｌ３におけるIPv４のアドレスの付け替えが行われないので、瞬断を短くすることが可能となる。また、MobileIPを使用するのではなく、IPv4を使用することができるため、現在の装置のＬ３のプロトコルを変えることなく対応することができる。
【産業上の利用可能性】
【００６５】
以上のように、本発明にかかるハンドオーバー方法は、無線ＬＡＮシステムに有用であり、特に、802.1x認証に対応したハンドオーバー方法として適している。
【図面の簡単な説明】
【００６６】
【図１】本発明にかかるハンドオーバー方法を実現する無線ＬＡＮシステムの構成例を示す図である。
【図２】実施の形態１のＣＷＣの構成例を示す図である。
【図３】実施の形態１のＡＰの構成例を示す図である。
【図４】実施の形態１のＳＴＡの構成例を示す図である。
【図５】本発明にかかるハンドオーバー方法のシーケンスの一例を示す図である。
【図６】実施の形態２のＣＷＣの構成例を示す図である。
【図７】実施の形態２のＡＰの構成例を示す図である。
【図８】実施の形態２のＳＴＡの構成例を示す図である。
【図９】本発明にかかるハンドオーバー方法のシーケンスの一例を示す図である。
【図１０】実施の形態３のＣＷＣの構成例を示す図である。
【図１１】実施の形態３のＡＰの構成例を示す図である。
【図１２】本発明にかかるハンドオーバー方法のシーケンスの一例を示す図である。
【図１３】実施の形態４のＣＷＣの構成例を示す図である。
【図１４】本発明にかかるハンドオーバー方法のシーケンスの一例を示す図である。
【符号の説明】
【００６７】
１  ＣＷＣ
２−１，２−２  基地局（ＡＰ）
３  端末局（ＳＴＡ）
１１  メッセージ生成／解析部
１２  記憶部
１３  状態管理指示部
１４  ハンドオーバー情報収集部
１５  ハンドオーバー判定部
１６  ＩＰトンネル指示部
１７  Ｌ３ハンドオーバー判定部
２１  メッセージ生成／解析部
２２  状態管理部
２３  経路学習機能部
２４  記憶部
２５  測定部
２６  ＩＰトンネル設定部
３１  ハンドオーバー（ＨＯ）判定部
３２  メッセージ生成部／解析部
３３  記憶部
３４  状態管理部
３５  無線送受信部
３６  ＢＳＳＩＤ切り替え指示部
【図１】
2006304118.tif 000003
【図２】
2006304118.tif 000004
【図３】
2006304118.tif 000005
【図４】
2006304118.tif 000006
【図５】
2006304118.tif 000007
【図６】
2006304118.tif 000008
【図７】
2006304118.tif 000009
【図８】
2006304118.tif 000010
【図９】
2006304118.tif 000011
【図１０】
2006304118.tif 000012
【図１１】
2006304118.tif 000013
【図１２】
2006304118.tif 000014
【図１３】
2006304118.tif 000015
【図１４】
2006304118.tif 000016